(57)【要約】【課題】ロール体の端面に現れている色ムラを定量的に評価することができる検査装置を提供する。【解決手段】検査装置は、ロール体の端面の画像を取得する画像取得部と、画像を処理して、ロール体の半径方向に並ぶ複数の画素における輝度値を取得する輝度値取得部と、複数の画素対における輝度変化値を取得する輝度変化値取得部と、輝度変化値の絶対値が閾値以下であるか否かを判定する判定部と、を備える。画素対とは、半径方向において離れて位置する２つの画素である。輝度変化値とは、画素対を構成する２つの画素における輝度値の差である。【選択図】図４
2020134410.tif 000002
【特許請求の範囲】
【請求項１】
ロール状に巻かれたフィルムを有するロール体の検査装置であって、
前記ロール体の端面の画像を取得する画像取得部と、
前記画像を処理して、前記ロール体の半径方向に並ぶ複数の画素における輝度値を取得する輝度値取得部と、
前記半径方向において離れて位置する２つの前記画素を画素対と称し、前記画素対を構成する２つの前記画素における輝度値の差を輝度変化値と称する場合に、複数の画素対における輝度変化値を取得する輝度変化値取得部と、
前記輝度変化値の絶対値が閾値以下であるか否かを判定する判定部と、
を備える、検査装置。
【請求項２】
前記画素対の離間距離が、前記半径方向における前記画素の寸法の２０倍以上１００倍以下である、請求項１に記載の検査装置。
【請求項３】
前記閾値は、前記複数の画素の輝度値の平均値が基準値以上の場合、第１閾値に設定され、前記複数の画素の輝度値の平均値が基準値未満の場合、前記第１閾値よりも高い第２閾値に設定される、請求項１又は２に記載の検査装置。
【請求項４】
前記フィルムは、プラスチック基材と、前記プラスチック基材上に設けられ、無機化合物を含む蒸着層と、を有する、請求項１乃至３のいずれか一項に記載の検査装置。
【請求項５】
前記蒸着層は、酸化アルミニウム又は酸化珪素を含む、請求項４に記載の検査装置。
【請求項６】
ロール状に巻かれたフィルムを有するロール体の検査装置であって、
前記ロール体の端面の画像を取得する画像取得工程と、
前記画像を処理して、前記ロール体の半径方向に並ぶ複数の画素における輝度値を取得する輝度値取得工程と、
前記半径方向において離れて位置する２つの前記画素を画素対と称し、前記画素対を構成する２つの前記画素における輝度値の差を輝度変化値と称する場合に、複数の画素対における輝度変化値を取得する輝度変化値取得工程と、
前記輝度変化値の絶対値が閾値以下であるか否かを判定する判定工程と、
を備える、検査方法。
【請求項７】
前記画素対の離間距離が、前記画素１つ分の前記半径方向における寸法の２０倍以上１００倍以下である、請求項６に記載の検査方法。
【請求項８】
前記閾値は、前記複数の画素の輝度値の平均値が基準値以上の場合、第１閾値に設定され、前記複数の画素の輝度値の平均値が基準値未満の場合、前記第１閾値よりも高い第２閾値に設定される、請求項６又は７に記載の検査方法。
【請求項９】
前記フィルムは、プラスチック基材と、前記プラスチック基材上に設けられ、無機化合物を含む蒸着層と、を有する、請求項６乃至８のいずれか一項に記載の検査方法。
【請求項１０】
前記蒸着層は、酸化アルミニウム又は酸化珪素を含む、請求項９に記載の検査方法。
【請求項１１】
ロール状に巻かれたフィルムを有するロール体であって、
前記フィルムは、プラスチック基材と、前記プラスチック基材上に設けられ、無機化合物を含む蒸着層と、を有し、
前記ロール体の端面の画像を取得し、前記画像を処理して、前記ロール体の半径方向に並ぶ複数の画素における輝度値を取得し、複数の前記画素における輝度値に基づいて、複数の画素対における輝度変化値を算出した場合に、前記輝度変化値が、前記複数の画素の輝度値の平均値に基づいて設定されている閾値以下である、ロール体。
【請求項１２】
輝度変化値が２０以下である、請求項１１に記載のロール体。
【請求項１３】
前記蒸着層は、酸化アルミニウム又は酸化珪素を含む、請求項１１又は１２に記載のロール体。
【発明の詳細な説明】
【技術分野】
【０００１】
本発明は、ロール状に巻かれたフィルムを有するロール体の検査装置及び検査方法に関する。また、本発明は、ロール状に巻かれたフィルムを有するロール体に関する。
【背景技術】
【０００２】
袋などの物品を作製するための材料として、プラスチック基材などの基材を含むフィルムが用いられている。基材には、フィルムに所望の機能を持たせるための機能層が形成されることがある。機能層は、例えば、フィルムにガスバリア性を持たせるためのガスバリア層である。機能層は、蒸着法、印刷法などによって基材に形成される。例えば特許文献１には、ガスバリア性を有する蒸着層を化学気相成長法によってプラスチック基材に形成することが開示されている。機能層が形成された基材は、ロール状に巻き取られたロール体の形態で検査されたり搬送されたりする。
【先行技術文献】
【特許文献】
【０００３】
【特許文献１】特開２０１０−２２１５９５号公報
【発明の概要】
【発明が解決しようとする課題】
【０００４】
機能層が色を有する場合、ロール体の端面には機能層の色が現れる。機能層の色は、機能層の組成、厚みなどに依存する。このため、機能層の組成、厚みなどがフィルムの長さ方向の位置に応じてばらつくと、機能層の色にもばらつきが生じ得る。ロール体の形態において、このような色のばらつきは、ロール体の端面の色ムラとしてユーザーによって視認される。ロール体の端面に色ムラが生じていると、フィルムの機能に実質的な問題が生じ得ない場合であっても、フィルムに対するユーザーの信頼感が低下してしまうことがある。
【０００５】
本発明は、このような課題を効果的に解決し得る検査装置及び検査方法を提供することを目的とする。
【課題を解決するための手段】
【０００６】
本発明は、ロール状に巻かれたフィルムを有するロール体の検査装置であって、前記ロール体の端面の画像を取得する画像取得部と、前記画像を処理して、前記ロール体の半径方向に並ぶ複数の画素における輝度値を取得する輝度値取得部と、前記半径方向において離れて位置する２つの前記画素を画素対と称し、前記画素対を構成する２つの前記画素における輝度値の差を輝度変化値と称する場合に、複数の画素対における輝度変化値を取得する輝度変化値取得部と、前記輝度変化値の絶対値が閾値以下であるか否かを判定する判定部と、を備える、検査装置である。
【０００７】
本発明による検査装置において、前記画素対の離間距離が、前記半径方向における前記画素の寸法の２０倍以上１００倍以下であってもよい。
【０００８】
本発明による検査装置において、前記閾値は、前記複数の画素の輝度値の平均値が基準値以上の場合、第１閾値に設定され、前記複数の画素の輝度値の平均値が基準値未満の場合、前記第１閾値よりも高い第２閾値に設定されてもよい。
【０００９】
本発明による検査装置において、前記フィルムは、プラスチック基材と、前記プラスチック基材上に設けられ、無機化合物を含む蒸着層と、を有していてもよい。
【００１０】
本発明による検査装置において、前記蒸着層は、酸化アルミニウム又は酸化珪素を含んでいてもよい。
【００１１】
本発明は、ロール状に巻かれたフィルムを有するロール体の検査装置であって、
前記ロール体の端面の画像を取得する画像取得工程と、前記画像を処理して、前記ロール体の半径方向に並ぶ複数の画素における輝度値を取得する輝度値取得工程と、前記半径方向において離れて位置する２つの前記画素を画素対と称し、前記画素対を構成する２つの前記画素における輝度値の差を輝度変化値と称する場合に、複数の画素対における輝度変化値を取得する輝度変化値取得工程と、前記輝度変化値の絶対値が閾値以下であるか否かを判定する判定工程と、を備える、検査方法である。
【００１２】
本発明による検査方法において、前記画素対の離間距離が、前記画素１つ分の前記半径方向における寸法の２０倍以上１００倍以下であってもよい。
【００１３】
本発明による検査方法において、前記閾値は、前記複数の画素の輝度値の平均値が基準値以上の場合、第１閾値に設定され、前記複数の画素の輝度値の平均値が基準値未満の場合、前記第１閾値よりも高い第２閾値に設定されてもよい。
【００１４】
本発明による検査方法において、前記フィルムは、プラスチック基材と、前記プラスチック基材上に設けられ、無機化合物を含む蒸着層と、を有していてもよい。
【００１５】
本発明による検査方法において、前記蒸着層は、酸化アルミニウム又は酸化珪素を含んでいてもよい。
【００１６】
本発明は、ロール状に巻かれたフィルムを有するロール体であって、前記フィルムは、プラスチック基材と、前記プラスチック基材上に設けられ、無機化合物を含む蒸着層と、を有し、前記ロール体の端面の画像を取得し、前記画像を処理して、前記ロール体の半径方向に並ぶ複数の画素における輝度値を取得し、複数の前記画素における輝度値に基づいて、複数の画素対における輝度変化値を算出した場合に、前記輝度変化値が、前記複数の画素の輝度値の平均値に基づいて設定されている閾値以下である、ロール体である。
【００１７】
本発明によるロール体において、輝度変化値が２０以下であってもよい。
【００１８】
本発明によるロール体において、前記蒸着層は、酸化アルミニウム又は酸化珪素を含んでいてもよい。
【発明の効果】
【００１９】
本発明によれば、ロール体の端面に現れている色ムラを定量的に評価することができる。
【図面の簡単な説明】
【００２０】
【図１】ロール体を示す斜視図である。
【図２】フィルムの層構成の一例を示す断面図である。
【図３】ロール体の端面の一例を示す側面図である。
【図４】検査装置の一例を示す図である。
【図５】ロール体の端面の画像の一例を示す図である。
【図６】輝度値の測定結果の一例を示す図である。
【図７】輝度変化値の算出結果の一例を示す図である。
【図８Ａ】実施例１のロール体の端面の画像を示す図である。
【図８Ｂ】実施例１における輝度値の測定結果を示す図である。
【図８Ｃ】実施例１における輝度変化値の算出結果を示す図である。
【図９Ａ】実施例２のロール体の端面の画像を示す図である。
【図９Ｂ】実施例２における輝度値の測定結果を示す図である。
【図９Ｃ】実施例２における輝度変化値の算出結果を示す図である。
【図１０Ａ】比較例１のロール体の端面の画像を示す図である。
【図１０Ｂ】比較例１における輝度値の測定結果を示す図である。
【図１０Ｃ】比較例１における輝度変化値の算出結果を示す図である。
【図１１Ａ】実施例３のロール体の端面の画像を示す図である。
【図１１Ｂ】実施例３における輝度値の測定結果を示す図である。
【図１１Ｃ】実施例３における輝度変化値の算出結果を示す図である。
【発明を実施するための形態】
【００２１】
以下、図面を参照して、本発明の実施の形態について説明する。なお、本件明細書に添付する図面においては、図示と理解のしやすさの便宜上、適宜縮尺及び縦横の寸法比などを、実物のそれらから変更し誇張してある。
【００２２】
図１〜図７は、本発明の一実施の形態を説明するための図である。以下の実施の形態では、ロール体のフィルムが、袋などの包装製品を作製するために用いられる包装用材料を構成する例を説明する。なお、本発明に係る検査装置及び検査方法は、包装用材料以外の分野で用いられるフィルムを有するロール体にも適用可能である。
【００２３】
図１は、ロール状に巻かれたフィルム５２を有するロール体５０を示す斜視図である。ロール体５０は、軸部材５１と、軸部材５１に巻き付けられているフィルム５２と、を備える。フィルム５２の長さは、例えば１０００メートル以上であり、５０００メートル以上であってもよく、１００００メートル以上であってもよく、５００００メートル以上であってもよい。
【００２４】
図２は、フィルム５２の層構成の一例を示す断面図である。フィルム５２は、基材５２１と、基材５２１の少なくとも一方の面上に位置する機能層５２２と、を備える。機能層５２２は、基材５２１であるフィルムに積層される、そのフィルムに所望の機能を持たせる層である。所望の機能の例としては、ガスバリア性、保湿性、透明導電性、ＵＶカット性などを挙げることができる。機能層５２２は、単層であってもよく、複数の層を含んでいてもよい。
【００２５】
本実施の形態においては、機能層５２２が、ガスバリア性を有する場合について説明する。この場合、機能層５２２は、例えば、物理蒸着法によって形成された蒸着層を含んでいてもよい。また、機能層５２２は、樹脂を主体にした組成液を基材５２１などの上に塗布した後に硬化させることによって形成されたガスバリア塗付膜を含んでいてもよい。また、機能層５２２は、蒸着層と、蒸着層上に形成されたガスバリア塗付膜とを含んでいてもよい。
【００２６】
基材５２１は、例えば、プラスチックを主成分として含むプラスチック基材である。プラスチック基材としては、ポリエチレンテレフタレート、バイオマス由来のポリエステル、ポリブチレンテレフタレート、ポリエチレンナフタレートなどのポリエステル系樹脂、ポリアミド樹脂６、ポリアミド樹脂６６、ポリアミド樹脂６１０、ポリアミド樹脂６１２、ポリアミド樹脂１１、ポリアミド樹脂１２などのポリアミド系樹脂、ポリエチレン、ポリプロピレンなどのα−オレフィンの重合体などのポリオレフィン系樹脂など、からなるフィルムを使用することができる。
【００２７】
基材５２１の厚さは、例えば６μｍ以上であり、１０μｍ以上であってもよく、１５μｍ以上であってもよい。これにより、機能層の形成工程やフィルムの搬送工程において基材５２１が破けてしまうことを抑制することができる。また、基材５２１の厚さは、例えば１００μｍ以下であり、８０μｍ以下であってもよく、６０μｍ以下であってもよい。これにより、機能層の形成工程やフィルムの搬送工程において基材５２１を湾曲させることができる。
【００２８】
機能層５２２の一例である蒸着層は、好ましくは、酸素ガス、水蒸気等の透過を阻止、遮断するガスバリア性能を有する薄膜である。蒸着層は、アルミニウムなどの遮光性を有する金属を含む金属層であってもよく、透明性を有する無機化合物で形成された透明蒸着層であってもよい。例えば、蒸着層は、透明性を有する無機酸化物で形成された透明蒸着層である。
【００２９】
機能層５２２の一例であるガスバリア塗付膜は、硬化樹脂層を含む。ガスバリア塗付膜は、ポリビニルアルコール、エチレンビニル共重合体のような樹脂及びテトラエトキシシランのような金属アルコキシド、必要に応じてシランカップリング剤、からなる組成液をコーティングして、乾燥することで、塗付膜が硬化し、形成される。
【００３０】
以下、機能層５２２が、透明な蒸着層を含む場合について説明する。蒸着層を形成する無機酸化物は、例えば、少なくとも酸化アルミニウム又はアルミニウムの窒化物、炭化物、水酸化物の単独又はその混合物を含む、アルミニウム化合物を主成分として含む。例えば、無機酸化物は、酸化アルミニウムを主成分として含む。
また、蒸着層は、珪素化合物を主成分として含む層であってもよい。例えば、無機酸化物層は、ケイ素酸化物（酸化珪素）を主成分として含む。
さらに、蒸着層は、上述の酸化アルミニウムなどのアルミニウム化合物を主成分として含み、更に、ケイ素酸化物、ケイ素窒化物、ケイ素酸化窒化物、ケイ素炭化物、酸化マグネシウム、酸化チタン、酸化錫、酸化インジウム、酸化亜鉛、酸化ジルコニウム等の金属酸化物、またはこれらの金属窒化物、炭化物及びその混合物などを含む層であってもよい。
【００３１】
蒸着層は、基材５２１を長さ方向に搬送しながら無機酸化物などを基材５２１上に蒸着させることなどにより形成される。蒸着層の厚みは、３ｎｍ以上５０ｎｍ以下が好ましく、より好ましくは６ｎｍ以上３０ｎｍ以下である。
【００３２】
図３は、ロール体５０の端面５３の一例を示す側面図である。図３において、符号Ｒは、ロール体５０の端面５３の半径方向を表し、符号Ｃは、ロール体５０の端面の円周方向を表す。
【００３３】
蒸着層などの機能層５２２の組成、厚みなどがフィルム５２の長さ方向の位置に応じてばらつくと、機能層５２２の色にもばらつきが生じ得る。ロール体５０の形態において、このような色のばらつきは、ロール体５０の端面５３の色ムラとしてユーザーによって視認される。図３においては、ロール体５０の端面５３のうち端面５３の平均的な色から逸脱した色を有する部分（以下、色ムラ部とも称する）が符号５４で示されている。色ムラ部５４がロール体５０の端面の複数周にわたって存在する場合、色ムラ部５４は、図３に示すように、フィルム５２の端面５３に円環状に現れる。
【００３４】
機能層５２２が、化学式ＡｌＯｘで表される酸化アルミニウムを含む場合、色ムラ部５４は、酸化アルミニウムの組成のばらつきに起因して生じ得る。例えば、ｘが１．５〜２．３の範囲内である場合、酸化アルミニウムは白色に近い色を呈する。一方、ｘが１．０〜１．５の範囲内である場合、酸化アルミニウムは黒色や褐色に近い色を呈する。このため、蒸着法によって基材５２１上に形成される酸化アルミニウム層の組成が、フィルムの長さ方向の位置に応じてばらつくと、酸化アルミニウム層の色が白色から黒色の間で変化し得る。
【００３５】
蒸着層などの機能層５２２の色にばらつきが生じている場合であっても、機能層５２２の機能に実質的な問題が生じるとは限らない。しかしながら、ロール体５０の端面５３に色ムラ部５４が生じていると、フィルム５２に対するユーザーの信頼感は低下し得る。従って、端面５３に色ムラ部５４が生じることを抑制すること、又は、端面５３に色ムラ部５４が生じているロール体５０が出荷しないことが好ましい。
【００３６】
色ムラ部５４の検査方法としては、人が目視で検査することが考えられる。しかしながら、目視検査においては、人に依存する検査結果のばらつきが生じ易い。このような課題を考慮し、本実施の形態においては、ロール体５０の端面５３の色ムラ部５４を定量的に検査することができる検査装置及び検査方法を提案する。
【００３７】
図４は、ロール体５０の端面５３の色ムラ部５４を検査する検査装置１０の一例を示す図である。検査装置１０は、画像取得部１１、輝度値取得部１２、輝度変化値取得部１３、及び判定部１４を備える。画像取得部１１は、発光部１１１及び受光部１１２を有していてもよい。画像取得部１１としては、デジタルカメラや画像センサを用いることができる。
【００３８】
以下、検査装置１０を用いてロール体５０の端面５３の色ムラ部５４を検査する検査方法について説明する。
【００３９】
（画像取得工程）
まず、画像取得部１１を用いてロール体５０の端面５３の画像を取得する画像取得工程を実施する。具体的には、画像取得部１１の発光部１１１がロール体５０の端面５３に向けて光を放出する。発光部１１１が放出する光は、例えば白色光である。続いて、画像取得部１１の受光部１１２が、ロール体５０の端面５３によって反射された光を受け、端面５３の画像を生成する。図５は、端面５３の画像２０の一例を示す図である。画像２０は、多数の画素２１を含む。各画素は、受光部１１２が受けた光の輝度に対応する輝度値を有する。
【００４０】
画像取得工程を実施する前に、輝度値に関する画像取得部１１のキャリブレーションを実施してもよい。例えば、画像取得部１１を用いて標準白色板の画像を取得した場合に算出される標準白色板の輝度値が特定の値（例えば２５５）を示すよう、発光部１１１から放出される光の強度、受光部１１２の感度、画像取得部１１内部の処理におけるパラメータなどを調整してもよい。
【００４１】
また、画像取得工程は、発光部１１１を用いて特定の光をロール体５０の端面５３に照射することなく実施されてもよい。例えば、室内の蛍光灯を光源として画像取得工程を実施してもよい。この場合、画像取得部１１は、少なくとも受光部１１２を有していればよく、発光部１１１を有していなくてもよい。
【００４２】
また、画像取得部１１は、自らロール体５０の端面５３を撮影して画像２０を取得するものでなくてもよい。例えば、画像取得部１１は、画像取得部１１とは別体のカメラなどの撮影装置が生成した画像２０を、通信手段などを介して取得するものであってもよい。
【００４３】
（輝度値取得工程）
続いて、輝度値取得部１２を用いて画像２０を処理して、ロール体５０の半径方向に並ぶ複数の画素２１における輝度値を取得する輝度値取得工程を実施する。例えば、図５に示すように、画像２０においてロール体５０の端面５３の半径方向軸ｒに並ぶ複数の画素Ｐｋ（１≦ｋ≦ｎ）における輝度値を取得する。ｋ、ｎはそれぞれ正の整数である。画素Ｐ１は、軸部材５１に隣接している。画素Ｐｎは、画素Ｐ１を通る半径方向軸ｒに重なるとともに端面５３の外周に隣接している。画素Ｐｋ（２≦ｋ≦ｎ−１）は、画素Ｐ１と画素Ｐｎとの間で半径方向軸ｒに沿って並んでいる。端面５３における画素Ｐｋの分解能は、例えば０．０５ｍｍ以上２ｍｍ以下である。
【００４４】
図６は、輝度値の測定結果の一例を示す図である。図６において、横軸の数値は、画素Ｐｋにおける値ｋに対応している。縦軸は、各画素において取得された画素値を示している。
【００４５】
端面５３の半径方向軸ｒに並ぶ複数の画素Ｐｋを取得するための具体的な方法は特には限られない。例えば、画像取得部１１によって取得された画像２０において、各画素が、ｘ方向軸及びｙ方向軸を含む平面直角座標系で表されていると仮定する。この場合、平面直角座標系を、半径方向軸ｒ及び円周方向軸θを含む極座標系に変換した後、半径方向軸ｒに並ぶ複数の画素Ｐｋを取得してもよい。このような変換は、画像取得部１１に内蔵されているソフトウェアによって実施されてもよい。若しくは、パソコンなどの、画像取得部１１とは別個のコンピュータによって動かされる画像処理ソフトなどのソフトウェアによって実施されてもよい。
【００４６】
（輝度変化値取得工程）
次に、輝度変化値取得部１３を用いて輝度変化値を取得する輝度変化値取得工程を実施する。具体的には、まず、半径方向において所定数の画素分だけ離れて位置する２つの画素（以下、画素対とも称する）を設定する。画素対の離間距離Ｄ（２つの画素の中心間の距離）は、例えば、前記半径方向における画素の寸法の２０倍以上１００倍以下である。ここでは、離間距離Ｄが画素の寸法の５０倍である例について説明する。続いて、画素対における輝度値の差を、輝度変化値として算出する。図６においては、画素Ｐ１２１及び画素Ｐ１７１からなる画素対における輝度値の差が、符号ΔＬ１７１で示されている。また、画素Ｐ１７１及び画素Ｐ２２１からなる画素対における輝度値の差が、符号ΔＬ２２１で示されている。このような輝度変化値の算出を、複数の画素対においてそれぞれ実施する。
【００４７】
図７は、輝度変化値の算出結果の一例を示す図である。図７において、横軸の数値は、画素Ｐｋにおける値ｋに対応している。縦軸は、画素Ｐ（ｋ−５０）及び画素Ｐｋからなる画素対における輝度値の差を示している。
【００４８】
（判定工程）
次に、判定部１４を用いて、輝度変化値の絶対値が閾値ＴＨ以下であるか否かを判定する判定工程を実施する。閾値ＴＨ１は、好ましくは５以上５０以下であり、例えば１０である。図７に示す例においては、輝度変化値の絶対値が、閾値ＴＨの１０以下である。従って、図７に示す輝度変化値に対応するロール体５０は、色ムラが抑制された端面５３を有する良品として認定される。
【００４９】
本実施の形態によれば、ロール体５０の端面５３に色ムラが存在するか否かを、輝度変化値に基づいて定量的に評価することができる。このため、端面５３の色ムラの検査結果に、人に依存するばらつきが生じることを抑制することができる。これにより、ロール体５０の端面５３の色ムラに起因する問題が生じることを抑制することができる。例えば、閾値以下の輝度変化値の絶対値を有する端面５３を備えるロール体５０のみを出荷するという選別を実施することにより、端面５３に色ムラが生じているロール体５０が顧客に届くことを抑制することができる。これにより、フィルムに対するユーザーの信頼感を維持することができる。
【００５０】
なお、判定工程において用いられる閾値ＴＨの値は、ロール体５０の端面５３の複数の画素の輝度値の平均値に基づいて設定されていてもよい。例えば、端面５３の輝度値の平均値が基準値ＳＶ以上の場合、閾値ＴＨが第１閾値に設定され、端面５３の輝度値の平均値が基準値ＳＶ未満の場合、第１閾値よりも高い第２閾値に設定されてもよい。基準値は、例えば６０である。第１閾値は、好ましくは５以上３０以下であり、例えば１０である。第２閾値は、好ましくは１０以上５０以下であり、例えば２０である。
【００５１】
ロール体５０の端面５３の輝度値の平均値が６０以上である場合、端面５３は、白色に近い色として視認され易い。一方、ロール体５０の端面５３の輝度値の平均値が６０未満である場合、端面５３は、黒色に近い色として視認され易い。端面５３の色が黒色に近い場合は、端面５３の色が白色に近い場合に比べて、端面５３の色ムラが目立ちにくい。このため、ロール体５０の端面５３の輝度値の平均値が６０未満である場合は、判定工程において用いられる閾値ＴＨを大きくすることができる。これにより、ロール体５０の歩留まりを向上させることができる。
【００５２】
なお、上述した実施の形態に対するいくつかの変形例を説明してきたが、当然に、複数の変形例を適宜組み合わせて適用することも可能である。
【実施例】
【００５３】
次に、本発明を実施例により更に具体的に説明するが、本発明はその要旨を超えない限り、以下の実施例の記載に限定されるものではない。
【００５４】
（実施例１）
ロール状に巻かれたフィルム５２を有するロール体５０を準備した。フィルム５２としては、ポリエチレンテレフタレートを含む、厚さ１２μｍの基材５２１と、酸化アルミニウムを主成分として含む蒸着層からなる、厚さ８ｎｍの機能層５２２と、を有するものを用いた。
【００５５】
続いて、図８Ａに示すように、画像取得部１１を用いてロール体５０の端面５３の画像を取得した。画像取得部１１としては、パソコンのＵＳＢポートに接続可能なエリアセンサを用いた。
【００５６】
続いて、図８Ｂに示すように、輝度値取得部１２を用いて画像を処理して、ロール体５０の端面５３の半径方向に並ぶ複数の画素における輝度値を取得した。輝度値取得部１２としては、パソコン上で動作可能な画像処理ライブラリを用いることができ、例えばOpenCVを用いることができる。
【００５７】
続いて、図８Ｃに示すように、輝度変化値取得部１３を用いて、複数の画素対における輝度変化値を算出した。
【００５８】
続いて、判定部１４を用いて、輝度変化値の絶対値が閾値以下であるか否かを判定した。本実施例においては、図８Ｂに示すように、輝度値の平均値が６０以上であるので、閾値を１０に設定した。図８Ｃに示すように、輝度変化値の絶対値は１０以下である。従って、本実施例のロール体５０は良品として判定される。
【００５９】
（実施例２）
上述の実施例とは異なるロットのフィルム５２を有するロール体５０を準備した。続いて、図９Ａに示すように、画像取得部１１を用いてロール体５０の端面５３の画像を取得した。続いて、図９Ｂに示すように、輝度値取得部１２を用いて画像を処理して、ロール体５０の端面５３の半径方向に並ぶ複数の画素における輝度値を取得した。続いて、図９Ｃに示すように、輝度変化値取得部１３を用いて、複数の画素対における輝度変化値を算出した。
【００６０】
続いて、判定部１４を用いて、輝度変化値の絶対値が閾値以下であるか否かを判定した。本実施例においては、図９Ｂに示すように、輝度値の平均値が６０以上であるので、閾値を１０に設定した。図９Ｃに示すように、輝度変化値の絶対値は１０以下である。従って、本実施例のロール体５０は良品として判定される。
【００６１】
（比較例１）
上述の実施例とは異なるロットのフィルム５２を有するロール体５０を準備した。続いて、図１０Ａに示すように、画像取得部１１を用いてロール体５０の端面５３の画像を取得した。続いて、図１０Ｂに示すように、輝度値取得部１２を用いて画像を処理して、ロール体５０の端面５３の半径方向に並ぶ複数の画素における輝度値を取得した。続いて、図１０Ｃに示すように、輝度変化値取得部１３を用いて、複数の画素対における輝度変化値を算出した。
【００６２】
続いて、判定部１４を用いて、輝度変化値の絶対値が閾値以下であるか否かを判定した。本実施例においては、図１０Ｂに示すように、輝度値の平均値が６０以上であるので、閾値を１０に設定した。図１０Ｃに示すように、輝度変化値の絶対値の最大値は１０を超えている。従って、本比較例のロール体５０は不良品として判定される。
【００６３】
（実施例３）
上述の実施例とは異なるロットのフィルム５２を有するロール体５０を準備した。続いて、図１１Ａに示すように、画像取得部１１を用いてロール体５０の端面５３の画像を取得した。続いて、図１１Ｂに示すように、輝度値取得部１２を用いて画像を処理して、ロール体５０の端面５３の半径方向に並ぶ複数の画素における輝度値を取得した。続いて、図１１Ｃに示すように、輝度変化値取得部１３を用いて、複数の画素対における輝度変化値を算出した。
【００６４】
続いて、判定部１４を用いて、輝度変化値の絶対値が閾値以下であるか否かを判定した。本実施例においては、図１１Ｂに示すように、輝度値の平均値が６０未満であるので、閾値を２０に設定した。図１１Ｃに示すように、輝度変化値の絶対値は２０以下である。従って、本実施例のロール体５０は良品として判定される。
【符号の説明】
【００６５】
１０  検査装置
１１  画像取得部
１１１  発光部
１１２  受光部
１２  輝度値取得部
１３  輝度変化値取得部
１４  判定部
２０  画像
５０  ロール体
５１  軸部材
５２  フィルム
５２１  基材
５２２  機能層
５３  端面
５４  色ムラ部
【図１】
2020134410.tif 000003
【図２】
2020134410.tif 000004
【図３】
2020134410.tif 000005
【図４】
2020134410.tif 000006
【図５】
2020134410.tif 000007
【図６】
2020134410.tif 000008
【図７】
2020134410.tif 000009
【図８Ａ】
2020134410.tif 000010
【図８Ｂ】
2020134410.tif 000011
【図８Ｃ】
2020134410.tif 000012
【図９Ａ】
2020134410.tif 000013
【図９Ｂ】
2020134410.tif 000014
【図９Ｃ】
2020134410.tif 000015
【図１０Ａ】
2020134410.tif 000016
【図１０Ｂ】
2020134410.tif 000017
【図１０Ｃ】
2020134410.tif 000018
【図１１Ａ】
2020134410.tif 000019
【図１１Ｂ】
2020134410.tif 000020
【図１１Ｃ】
2020134410.tif 000021